(57)【要約】      （修正有）【課題】ゴルフクラブのコース上での紛失を防止できるクラブホルダーバッグを提供する。【解決手段】ゴルフクラブを縦に挿入可能な本体と、該本体を縦方向に保持し、地面に立たせることを可能とする３本の脚部５，７，８と、複数のクラブを入れたバッグ全体を片手で保持できる取っ手９を本体上部に設ける。また本体上部はクラブが挿入しやすいように、８−１５ｃｍ程度の径を有する変形しない開口３とし、３本の脚部には、互いの脚部を接し間隔を一定に保つ矩形状横桟６を有し、本体を縦方向に保持する軸４を有する。【選択図】図１
0003155915.tif 000002
【実用新案登録請求の範囲】
【請求項１】
ゴルフクラブを縦に挿入可能な本体と、該本体を縦方向に保持し、地面に立たせることを可能とする３本の脚部と、
複数のゴルフクラブを入れたバッグ全体を片手で保持できる取っ手を本体上部に設けたことを特徴とするクラブホルダーバッグ。
【請求項２】
該本体上部はゴルフクラブが挿入しやすいように、８−１５ｃｍ程度の径を有する変形しない開口であることを特徴とするクラブホルダーバッグ。
【請求項３】
該３本の脚部には、互いの脚部を接し間隔を一定に保つ矩形状横桟を有することを特徴とするクラブホルダーバッグ。
【請求項４】
該本体を縦方向に保持する軸を有し、該軸が脚部の１本を兼ねていることを特徴するクラブホルダーバッグ。
【請求項５】
該本体を縦方向に保持する軸の先端が取っ手となっていることを特徴とするクラブホルダーバッグ。
【考案の詳細な説明】
【技術分野】
【０００１】
本考案は、グリーン上に持ち出したゴルフのクラブを紛失し易いため、考案された、ゴルフのクラブホルダーバッグに関する。
【背景技術】
【０００２】
一般にゴルフをする場合には、キャディバッグに多数のクラブを入れて、このキャディバッグをカートに乗せてコースに出ることになる。そして、各ホールを打つ時に、必要に応じて１本あるいは数本のクラブをキャディバッグから取り出し、手で持参して、ボールの落下地点に行き、最適なクラブでボールを打つことになる。この時、クラブが複数本の場合は、使用する以外のクラブを一時的に芝生上に置いて、移動時に忘れずにそれらのクラブを持ってかえることが必要となるが、往々にして芝生上のクラブを忘れてしまい、コースが終了すると、クラブの数が２−３本少ないということが多く発生する。
このような時には、再度全コースを戻って探しに行く必要があり、問題であった。特に、グリーン上では、何本ものクラブを使用することが多く、競技に熱中するあまり、しばしばこのようなクラブの忘れ物が発生し、ゴルフコースの経営者にとっても、管理作業が大変となっている。
【先行技術文献】
【特許文献】
【０００３】
【特許文献１】特開２００７−８２９８６号
【考案の概要】
【考案が解決しようとする課題】
【０００４】
上記発明は、各ゴルフクラブに発信装置を付け、キャディバッグ側にも受信装置を付けて、紛失や置き忘れを防止するものである。このような装置は大掛かりとなる上、電子機器のため、雨などで発信機がぬれると作動しなかったり、簡単に好きなクラブに買い替えができず、さらにクラブの値段が非常に高くなるなどの、種々の問題点があった。
本考案は、簡単なクラブホルダーバッグに使用のための持ち出しクラブを一端入れてグリーンへ持ち出すことにより、忘れがちであったクラブをグリーン上に放置することがなくなり、クラブの紛失を劇的に減少させる効果が生じるものである。
【課題を解決するための手段】
【０００５】
本考案のクラブホルダーバッグは、クラブを縦に挿入可能な本体と、該本体を縦方向に保持し、地面に立たせることを可能とする３本の脚部と、
複数のクラブを入れたバッグ全体を片手で保持できる取っ手を本体上部に設けたことを要旨とする。
【０００６】
該本体上部はクラブが挿入しやすいように、８−１５ｃｍ程度の径を有する変形しない開口であることを要旨とする。
【０００７】
該３本の脚部には、互いの脚部を接し間隔を一定に保つ横方向矩形桟を有することを要旨とする。
【０００８】
該本体を縦方向に保持する軸を有し、該軸が脚部の１本を兼ねていることを要旨とする。
【０００９】
該本体を縦方向に保持する軸の先端が取っ手となっていることを要旨とする。
【００１０】
なお、本体はしっかりした素材で箱型や鞄形状でも良いし、布地のような柔らかい素材で、袋状に形成しても良い。図１〜２のようにクラブを入れる本体の入口部がしっかりとクラブを差込やすい開口部を形成していれば良い。
【考案の効果】
【００１１】
以上説明してきたように本考案は、グリーン上で使用するクラブを一時的に本考案のクラブホルダーバッグに入れて全体をグリーンに持参するため、クラブを忘れて紛失することがなくなる。また、プレー中もバッグの３本の脚部がしっかりと本体を地面に立った状態で保持するため、プレー中も便利で使い易い。さらに、クラブを複数挿入した状態の全体を片手で保持できるような、構造としたため、操作性も良い。
また、取っ手の部分はカートに乗った場合にも、カートの一部やキャディバッグなどにひっかけることが可能で、便利である。
さらに、布製などの柔らかい素材であれば、場所を必要とせず、簡易に運搬が可能であるため、何処へでも携帯可能となり、プレー中でも、負担にならずに携帯できる。
【図面の簡単な説明】
【００１２】
【図１】本考案の実施例１にかかるクラブホルダーバッグの説明斜視図である。
【図２】本考案の実施例２にかかるクラブホルダーバッグの説明斜視図である。
【考案を実施するための形態】
【００１３】
本考の好ましい実施形態について図１〜図２を参照して説明する。
【実施例１】
【００１４】
図１は、本考案の説明斜視図である。図において、（１）はクラブホルダーバッグ、（２）はバッグ本体、（３）はクラブ投入口、（４）は軸、（５）は軸と一体化した脚部、（６）は各脚部を連結する矩形状の横桟。（７）（８）は他の脚部、（９）は取っ手、（１０）はポケット、（１１）は網状ポケット、（１２）は矩形状のクラブホルダーバッグ、（１３）はバッグ本体、（１４）は開口、（１５）はバッグ底部、（１６）はグリーンである。
【００１５】
クラブホルダーバッグ本体は、布製でもプラッスチック、革、新素材などいかなる材料でも良いが、ゴルフクラブを数本縦方向に保持・運搬可能な程度の剛性があれば良い。形状は筒状あるいは矩形ボックス状でもゴルフクラブを立てて収納可能であればどのような形状でも良い。
【００１６】
一般には、図１あるいは図２に示すような中空で上部のみ開放の円柱状あるいは四角柱状で、クラブの長さの７割から８割程度、具体的には、縦方向の長さが６０ｃｍから８０ｃｍ程度であると、収納したクラブが容易に倒れることがなく、好ましい。
【００１７】
クラブ投入口（３）の形状は特に限定はないが、８−１５ｃｍ程度の径を有する変形しない開口であることが必要である。図１においては、円形、図２においては、長方形の開口（１４）である。いずれも、クラブが差し込みやすいように、開口周囲に剛性のあるリングや、枠体で開口が容易に変形しないように構成されている。
【００１８】
図１において、筒の内部には軸（４）が設けられ、バッグ本体を上下に貫通して支持するとともに、先端は取っ手（９）と一体化し、下端は脚部と一体化している。脚部は（５）以外に２本の脚部（７）（８）が、脚部（５）とは少し離れた位置に設けられている。これは、グリーン上でしっかりとこのクラブホルダーバッグを地面に立たせるための工夫である。具体的には、図１の脚部の拡大図に示すように、スチールあるいは合金等のしっかりした素材によって形成される矩形状で、長辺７ｃｍで短辺４ｃｍ程度の横桟（６）の短辺（６ａ）の中央部（６ａ’）と軸（４）が接しており、熱融着されている。また、軸（４）は該熱融着より地面側は脚部（５）を構成している。また、矩形状の横桟（６ｂ）の軸との接着していない短辺には両端に地面に向けて該横桟とは９０度の角度を有する脚部（７）（８）がそれぞれ設けられている。このように、３本の脚部が、やや距離を持って、離れて構成されており、しかも、そのうちの１つが軸部と一体化していることによって、図１のようにグリーン（１６）上にこの脚部を突き刺したときに、しっかりと地面に対して垂直にクラブホルダーバッグが支持されることとなる。３本の脚部も矩形状の横桟（６）があることで、各脚部間が互いに連結支持され、全体として、この横桟も含めた脚部全体で、しっかりとバッグを保持することになっている。図１はグリーンに脚部を突き刺している状態を示している。
【実施例２】
【００１９】
図２は、本考案の第２の実施例について説明する。実施例１ではバッグ本体は布状の柔らかい素材であったが、本実施例では、しっかりとしたスチールの矩形状のバッグ本体としている。バッグ底部（１５）はちょうど脚部の矩形状の横桟（６）よりやや大きな長方形であり、本実施例の矩形状の横桟（６）は、バッグ本体の底部（１５）を支持できるようになっており、さらに、しっかりとバッグを立ててグリーン上に保持することができるようになっている。
【００２０】
このようなクラブホルダーバッグを用いてコースを回ると、簡単に複数のクラブをグリーン上に持ち出すことが可能で、しかもグリーン上にこのバッグを突き刺して立てておくことができるため、使用中のクラブの収納場所として間違うことなく、その結果クラブの紛失が無くなるものである。また従来グリーン上に一時的にポイと置かれていたため、土で汚れたり、雨でのプレーであれば、クラブが泥によごれ、クラブの手入れも大変であった。本考案では、このようなことがなくなり、クラブがいつまでも清潔に保つことが可能となる。
【００２１】
なお当然のことながら、本考案はこれらの実施例に限定されるものではない。
【産業上の利用可能性】
【００２２】
本考案は、簡単な構成で重量も軽く、脚部にも工夫があるため、グリーン上の持ち出しクラブを内部に挿入したままグリーン上で立てて保持することが可能であるため、操作性が良く、クラブの紛失を防止することができるため、産業上の利用可能性を有する。
【符号の説明】
【００２３】
１    クラブホルダーバッグ
２    バッグ本体
３    開口
４    軸
５    脚部
６    矩形状の横桟
７    他の脚部
８    他の脚部
９    取っ手
１０    ポケット
１１    網状ポケット
１２    矩形状クラブホルダーバッグ
１３    バッグ本体
１４    開口
１５    バッグ底部
１６    グリーン
【図１】
0003155915.tif 000003
【図２】
0003155915.tif 000004
【手続補正書】
【提出日】平成21年10月2日(2009.10.2)
【手続補正１】
【補正対象書類名】実用新案登録請求の範囲
【補正対象項目名】全文
【補正方法】変更
【補正の内容】
【実用新案登録請求の範囲】
【請求項１】
ゴルフクラブを縦に挿入可能な本体と、該本体を縦方向に保持し、地面に立たせることを可能とする３本の脚部と、
複数のゴルフクラブを入れたバッグ全体を片手で保持できる取っ手を本体上部に設けたことを特徴とするクラブホルダーバッグ。
【請求項２】
該本体上部はゴルフクラブが挿入しやすいように、８−１５ｃｍ程度の径を有する変形しない開口であることを特徴とする請求項１記載のクラブホルダーバッグ。
【請求項３】
該３本の脚部には、互いの脚部を接し間隔を一定に保つ矩形状横桟を有することを特徴とする請求項１又は２記載のクラブホルダーバッグ。
【請求項４】
該本体を縦方向に保持する軸を有し、該軸が脚部の１本を兼ねていることを特徴とする請求項１〜３のいずれかに記載のクラブホルダーバッグ。
【請求項５】
該本体を縦方向に保持する軸の先端が取っ手となっていることを特徴とする請求項１〜４のいずれかに記載のクラブホルダーバッグ。